(57)【要約】【課題】電池交換や記録メディアの交換によって撮影チャンスを極力逃さないようにすることができる電子カメラを提供する。【解決手段】カメラ電源ＯＮの状態で電池蓋やメディア蓋を開放すると、電池蓋スイッチ６３又はメディア蓋スイッチ６２がこれを検知して、電源が自動的にＯＦＦされる。カメラ１０は、電源ＯＦＦになるときの光学ズーム位置、フォーカス位置及び電子ズーム倍率のうち少なくとも１つを含むカメラ状態の情報をＥＥＰＲＯＭ６１に記憶しており、その後、電源スイッチがＯＮ操作され、電源が再投入されたときには、ＥＥＰＲＯＭ６１の記憶内容に従ってカメラ状態が再現される。これにより、再起動後すぐに電源ＯＦＦ直前と同じ条件で撮影を行うことができる。【選択図】　図３
2004072222.tif 000002
【特許請求の範囲】
【請求項１】
被写体の光学像を電気信号に変換する撮像手段と、前記撮像手段を介して取得された画像を記録メディアに記録する記録手段と、を備えた電子カメラにおいて、
電源用の電池が装填される電池収納室の開口部を覆う電池蓋の開放を検出する検出手段と、
前記検出手段によって前記電池蓋の開放が検出されると、当該カメラの電源を自動的にＯＦＦする制御を行う電源制御手段と、
前記電源制御手段によって電源ＯＦＦされるときの光学ズーム位置、フォーカス位置及び電子ズーム倍率のうち少なくとも１つを含むカメラ状態の情報を記憶し、その記憶内容を電源ＯＦＦ期間中も保持することができる記憶手段と、
前記電源制御手段によって電源ＯＦＦされた後、電源ＯＮ操作が行われると、前記記憶手段に記憶された内容に基づいて電源ＯＦＦ直前のカメラ状態を再現する制御を行う起動制御手段と、
を備えたことを特徴とする電子カメラ。
【請求項２】
被写体の光学像を電気信号に変換する撮像手段と、前記撮像手段を介して取得された画像を着脱自在な記録メディアに記録する記録手段と、を備えた電子カメラにおいて、
前記記録メディアが装着されるメディア収納室の開口部を覆うメディア蓋の開放を検出する検出手段と、
前記検出手段によって前記メディア蓋の開放が検出されると、当該カメラの電源を自動的にＯＦＦする制御を行う電源制御手段と、
前記電源制御手段によって電源ＯＦＦされるときのフォーカス位置及び電子ズーム倍率のうち少なくとも１つを含むカメラ状態の情報を記憶し、その記憶内容を電源ＯＦＦ期間中も保持することができる記憶手段と、
前記電源制御手段によって電源ＯＦＦされた後、電源ＯＮ操作が行われると、前記記憶手段に記憶された内容に基づいて電源ＯＦＦ直前のカメラ状態を再現する制御を行う起動制御手段と、
を備えたことを特徴とする電子カメラ。
【請求項３】
被写体の光学像を電気信号に変換する撮像手段と、前記撮像手段を介して取得された画像を記録メディアに記録する記録手段と、外部電源を接続可能な電源入力端子と、を備え、前記電源入力端子に接続された外部電源から電力の供給を受けて動作し得る電子カメラにおいて、
前記外部電源から供給される電力によって動作しているときに、光学ズーム位置、フォーカス位置及び電子ズーム倍率のうち少なくとも１つを含むカメラ状態の情報を随時記憶し、その記憶内容を電源ＯＦＦ期間中も保持することができる記憶手段と、
前記外部電源からの電力供給が遮断されて電源ＯＦＦとなった後、電源ＯＮ操作が行われると、前記記憶手段に記憶された内容に基づいて電源ＯＦＦ直前のカメラ状態を再現する制御を行う起動制御手段と、
を備えたことを特徴とする電子カメラ。
【発明の詳細な説明】
【０００１】
【発明の属する技術分野】
本発明は、被写体の光学像を電気信号に変換して記録メディアに記録する電子カメラに関する。
【０００２】
【従来の技術】
従来のデジタルカメラにおいては、電池を交換する場合、或いはメモリカードなど画像データ保存用の着脱式記録メディアを交換する場合に、一度カメラの電源をＯＦＦし、交換後に再度パワーＯＮ操作するようになっている。その場合、レンズの収納（沈胴）動作、或いは撮影可能な初期位置への送り出し動作に時間がかかる上に、レンズのズーム位置、フォーカス位置その他の撮影条件は一度デフォルトに戻ってしまう。そのため、電池や記録メディアを交換した後に再度、元の撮影条件に戻す操作を行っている間に撮影チャンスを逃す場合があった。
【０００３】
また、電源スイッチをＯＦＦ操作せずに電池を交換したり、記録メディアを交換したりすることも可能であるが、電池交換時には必然的に電源ＯＦＦとなり、記録メディアの交換時においては、メディア保護並びにデータの破壊防止等のために、カメラの電源が自動的にＯＦＦされる。その後、パワーＯＮ操作を行うと、所定の初期シーケンスが働き、撮影条件などはデフォルトに戻っていた。
【０００４】
このような、カメラ動作に関連して特許第２９３３３４１号公報では、パワーＯＦＦした時のカメラ状態を記憶しておき、次のパワーＯＮ時にその状態を再現する手段が提案されている。
【０００５】
【発明が解決しようとする課題】
しかしながら、上記公報に開示されたカメラにおいても、レンズの収納（沈胴）動作及び送り出し動作は必ず行われるために、その動作に時間がかかり、一瞬のシャッターチャンスを逃してしまうことがある。また、上記公報に開示の発明は銀塩カメラを対象とするものであり、電池の交換頻度が高いデジタルカメラについては考慮されていない。
【０００６】
すなわち、銀塩カメラの消費電力はデジタルカメラと比較して無視できる程度に少なく、銀塩カメラにおいては電池を交換することについてあまり考慮する必要がない。また、銀塩フイルムの交換作業は、メモリカードなどの交換作業と比較して非常に時間がかかるため、レンズの収納／送り出しに要する時間は相対的に無視できる程度のものである。このような事情から、上記公報に開示の発明では、もっぱら撮影間隔が長くなった場合の省電力化のために電源を一時的にＯＦＦし、その後の再起動時の復帰動作を迅速化するための手段を提案している。
【０００７】
これに対して、デジタルカメラ等の電子カメラにおいては、消費電力が大きいために電池交換の頻度が高く、また、記録メディアの交換はフイルム交換よりも短時間で行うことができるので、電池交換や記録メディアの交換作業を素早く完了させて、撮影を続けられるようにすることが重要である。
【０００８】
本発明はこのような事情に鑑みてなされたもので、電池交換や記録メディアの交換で撮影チャンスを極力逃さないようにすることができる電子カメラを提供することを目的とする。
【０００９】
【課題を解決するための手段】
前記目的を達成するために請求項１に係る発明は、被写体の光学像を電気信号に変換する撮像手段と、前記撮像手段を介して取得された画像を記録メディアに記録する記録手段と、を備えた電子カメラにおいて、電源用の電池が装填される電池収納室の開口部を覆う電池蓋の開放を検出する検出手段と、前記検出手段によって前記電池蓋の開放が検出されると、当該カメラの電源を自動的にＯＦＦする制御を行う電源制御手段と、前記電源制御手段によって電源ＯＦＦされるときの光学ズーム位置、フォーカス位置及び電子ズーム位置のうち少なくとも１つを含むカメラ状態の情報を記憶し、その記憶内容を電源ＯＦＦ期間中も保持することができる記憶手段と、前記電源制御手段によって電源ＯＦＦされた後、電源ＯＮ操作が行われると、前記記憶手段に記憶された内容に基づいて電源ＯＦＦ直前のカメラ状態を再現する制御を行う起動制御手段と、を備えたことを特徴とする。
【００１０】
本発明によれば、電源ＯＮの状態で電池蓋を開けると、検出手段がこれを検知してカメラの電源が自動的にＯＦＦされる。カメラは、電源ＯＦＦになるときの光学ズーム位置、フォーカス位置及び電子ズーム倍率のうち少なくとも１つを含むカメラ状態の情報を記憶手段に記憶しており、その後、電源スイッチなどの操作手段が操作され、電源が再投入されたときには、記憶手段の記憶内容に従ってカメラ状態が再現される。これにより、再起動後すぐに電源ＯＦＦ直前と同じ条件で撮影を行うことができる。
【００１１】
記憶手段には不揮発性メモリ、或いは、バックアップ電源を備えた揮発性メモリなどを用いることができる。カメラ状態を示す情報は、状態の変化に伴って随時更新（書き換え）してもよいし、電源ＯＦＦの直前に書き込んでもよい。
【００１２】
電源制御手段と起動制御手段は１つの中央演算処理装置（ＣＰＵ）によって実現することが可能である。
【００１３】
請求項２に係る発明は、被写体の光学像を電気信号に変換する撮像手段と、前記撮像手段を介して取得された画像を着脱自在な記録メディアに記録する記録手段と、を備えた電子カメラにおいて、前記記録メディアが装着されるメディア収納室の開口部を覆うメディア蓋の開放を検出する検出手段と、前記検出手段によって前記メディア蓋の開放が検出されると、当該カメラの電源を自動的にＯＦＦする制御を行う電源制御手段と、前記電源制御手段によって電源ＯＦＦされるときのフォーカス位置及び電子ズーム倍率のうち少なくとも１つを含むカメラ状態の情報を記憶し、その記憶内容を電源ＯＦＦ期間中も保持することができる記憶手段と、前記電源制御手段によって電源ＯＦＦされた後、電源ＯＮ操作が行われると、前記記憶手段に記憶された内容に基づいて電源ＯＦＦ直前のカメラ状態を再現する制御を行う起動制御手段と、を備えたことを特徴とする。
【００１４】
本発明によれば、電源ＯＮの状態でメディア蓋を開けると、検出手段がこれを検知してカメラ電源が自動的にＯＦＦされる。カメラは、電源ＯＦＦになるときのフォーカス位置及び電子ズーム位置のうち少なくとも１つを含むカメラ状態の情報を記憶手段に記憶しており、その後、電源が再投入されたときには、記憶手段の記憶内容に従ってカメラ状態が再現される。これにより、再起動後すぐに電源ＯＦＦ直前と同じ条件で撮影を行うことができる。
【００１５】
請求項３に係る発明は、被写体の光学像を電気信号に変換する撮像手段と、前記撮像手段を介して取得された画像を記録メディアに記録する記録手段と、外部電源を接続可能な電源入力端子と、を備え、前記電源入力端子に接続された外部電源から電力の供給を受けて動作し得る電子カメラにおいて、前記外部電源から供給される電力によって動作しているときに、光学ズーム位置、フォーカス位置及び電子ズーム倍率のうち少なくとも１つを含むカメラ状態の情報を随時記憶し、その記憶内容を電源ＯＦＦ期間中も保持することができる記憶手段と、前記外部電源からの電力供給が遮断されて電源ＯＦＦとなった後、電源ＯＮ操作が行われると、前記記憶手段に記憶された内容に基づいて電源ＯＦＦ直前のカメラ状態を再現する制御を行う起動制御手段と、を備えたことを特徴とする。
【００１６】
本発明によれば、電源入力端子に外部電源を接続し、外部電源によってカメラを動作させることができる。この場合、カメラ動作中に、光学ズーム位置、フォーカス位置及び電子ズーム倍率のうち少なくとも１つを含むカメラ状態の情報を記憶手段に随時記憶している。電源プラグが引き抜かれるなど、何らかの原因で外部電源からの電力供給が遮断されると、カメラの電源は強制的にＯＦＦとなるが、電源ＯＦＦ直前のカメラ状態の情報はカメラ内の記憶手段に記憶されている。
【００１７】
その後、外部電源からの電力供給が再開され、或いは電池からの電源供給に切り換えられるなどして、電源の再投入が行われると、記憶手段の記憶内容に従ってカメラ状態が再現される。これにより、再起動後すぐに電源ＯＦＦ直前と同じ条件で撮影を行うことができる。
【００１８】
【発明の実施の形態】
以下添付図面に従って本発明に係る電子カメラの好ましい実施の形態について詳説する。
【００１９】
図１は本発明の実施形態に係る電子カメラの斜視図、図２は背面図である。このカメラ１０は、静止画及び音声付き動画の記録再生が可能なデジタルカメラであり、カメラ本体１１の前面には沈胴式の撮影レンズ１２、ファインダー窓１３、ストロボ調光センサ１４、セルフタイマーランプ１５及びマイク１６が設けられている。撮影レンズ１２は電動式のズームレンズで構成されており、撮影時には図１のようにレンズ鏡胴１７がカメラ本体１１から繰り出される。
【００２０】
撮影レンズ１２の後方には撮像素子としてのＣＣＤイメージセンサ（図１中不図示、図３中符号７２として記載、以下、ＣＣＤという。）が配設されており、該ＣＣＤ７２から読み出された画像信号は所定の信号処理を経てデジタル画像データに変換される。
【００２１】
図１に示したように、カメラ１０の側面には、スピーカ２１、デジタル（ＵＳＢ）端子２２、音声／映像出力端子（ＶＩＤＥＯ　ＯＵＴ）２３、電源入力端子（ＤＣ　ＩＮ　端子）　２４及びメディア収納部２５が設けられている。符号２６は記録メディアとしてのメモリカード（図１中不図示、図３中符号６６として記載）を挿入するためのメディアスロット（メモリカード６６の挿入用開口）を覆う蓋（フタ）（以下、メディア蓋という。）である。
【００２２】
メディア蓋２６は、図示せぬヒンジ機構によってカメラ本体１１に開閉可能に取り付けられている。メディア蓋２６は、図示せぬロック機構によって閉状態でロックされ、ユーザがロック解除ツマミ（図２中符号２７）を操作することによって、ロック機構の係止が外れてメディア蓋２６が開く構造になっている。
【００２３】
メディア蓋２６には、当該蓋の開閉状態を検出するスイッチ（図１中不図示、図３において符号６２として記載、以下、「メディア蓋スイッチ」という。）が設けられており、カメラ電源がＯＮの状態でメディア蓋２６を開放すると、メディア蓋スイッチ６２がこれを検知して、メディア保護のため自動的に電源をＯＦＦするように制御される。
【００２４】
図１に示したように、カメラ本体１１の底面部には電池蓋（電池収納室のカバー）２８が設けられている。電池蓋２８は、カメラ本体１１に対して開閉自在であり、図示せぬロック機構によって閉状態でロックされている。電池蓋２８を図１の左方向にスライドさせるとロック機構の係止が外れて電池蓋２８が開放される構造になっている。電池蓋２８を開けて、電池２９をカメラ１０の底面側から縦向きに電池収納室に挿入する。
【００２５】
電池２９には例えば専用の二次電池が用いられる。電池２９の上端に＋／−端子２９Ａ、２９Ｂが設けられており、この端子部を上に向けた状態で電池２９を電池収納室に装填することにより、電池装填室内の端子（不図示）と接続される。電池蓋２８を開放時と逆の手順で閉じることにより、電池２９がカメラ１０内に装填される。なお、二次電池に代えて、市販の一次電池を使用できるように設計してもよい。
【００２６】
また、本例のカメラ１０の場合、図示せぬＡＣパワーアダプターのプラグを電源入力端子２４に接続することにより、カメラ外部から電源を供給することも可能である。
【００２７】
カメラ１０の上面にはレリーズボタン３０、モードダイヤル３２及びポップアップ式のストロボ（電子閃光装置）３４が設けられている。符号３５は、ストロボポップアップボタンである。レリーズボタン３０は、静止画の記録を指示する操作手段として機能するとともに、動画撮影時の録画ボタン（録画スタート／ストップボタン）として機能する。モードダイヤル３２はレリーズボタン３０の外周部に回動自在に設けらており、ダイヤルの回転位置に応じて連写、マニュアル撮影、オート撮影、シーンポジション（人物／風景／夜景／スポーツ）、又は動画などの各動作モードを選択することができる操作手段である。
【００２８】
図２に示したように、カメラ１０の背面には、ファインダー３６、液晶モニタ３８、電源スイッチ４０、モード選択レバー４２、十字キー４４、液晶表示パネル４６、表示ボタン５０、メニュー／ＯＫボタン５２、ＢＡＣＫボタン５４等が設けられている。
【００２９】
液晶モニタ３８は、カラー液晶ディスプレイで構成され、撮影時に画角確認用の電子ファインダーとして使用できるとともに、記録済み画像を再生表示することができる。また、液晶モニタ３８は、ユーザインターフェース用表示画面としても利用され、必要に応じてメニュー情報や選択項目、設定内容などの情報が表示される。液晶モニタ３８に代えて、有機ＥＬなど他の方式の表示装置（表示手段）を用いることも可能である。
【００３０】
電源スイッチ４０はプッシュスイッチで構成され、該スイッチを押すことによりカメラ１０の電源をＯＮ／ＯＦＦできる。カメラ１０はオートパワーオフ機能を有し、無操作状態が所定時間（例えば２分間）継続した場合、電源を自動的にオフするようになっている。オートパワーオフの作動時間はユーザが設定できるように構成されている。オートパワーオフ機能によってパワーオフされた状態から復帰させるには、電源スイッチ４０を再押しする。
【００３１】
モード選択レバー４２は、撮影モードと再生モードを選択的に切り換えるための手段である。モード選択レバー４２は、電源スイッチ４０の外周に回動自在に支持され、撮影モード位置（上側停止位置）と再生モード位置（下側停止位置）の２つの位置で停止可能なレバースイッチで構成されている。
【００３２】
十字キー４４は、上キー４４Ｕ、下キー４４Ｄ、左キー４４Ｌ、及び右キー４４Ｒの４つのプッシュスイッチからなり、メニュー画面から項目を選択したり、各メニューから各種設定項目の選択を指示するボタン（カーソル移動操作手段）として機能する。また、上キー４４Ｕ及び下キー４４Ｄは撮影時のズームスイッチ或いは再生時の再生ズームスイッチとして機能し、左キー４４Ｌ及び右キー４４Ｒは再生モード時のコマ送り（逆方向送り／順方向送り）ボタンとして機能する。
【００３３】
十字キー４４の中央部には円形の液晶表示パネル４６が設けられている。この液晶表示パネル４６は、上下左右の各キー４４Ｕ、４４Ｄ、４４Ｌ、４４Ｒの機能及びモード状態などを文字、記号、簡単な図像（絵文字）、或いはこれらの組合せによって表示する表示手段である。表示ボタン５０は、液晶モニタ３８をＯＮ／ＯＦＦ操作したり、再生方法（一コマ再生／マルチ画面再生）や再生中のコマ番号等のＯＳＤ（オンスクリーンディスプレイ）表示の表示／非表示を切り換えるための操作手段である。
【００３４】
メニュー／ＯＫボタン５２は、メニュー画面の表示を指示するメニューボタンとしての機能と、選択内容の確定及び処理の実行などを指令するＯＫボタンとしての機能とを兼備した操作ボタンである。ＢＡＣＫボタン５４は、選択項目など所望の対象の消去や指示内容の取消し、或いは１つ前の操作状態に戻らせる時などに使用される。なお、図２中符号５６はカメラ１０のグリップ部である。
【００３５】
図３はカメラ１０の内部構成を示したブロック図である。カメラ１０に内蔵されているメインＣＰＵ６０は、所定のプログラムに従って本カメラシステムを統括制御する制御手段として機能するとともに、自動露出（ＡＥ）演算、自動焦点調節（ＡＦ）演算など各種の演算を実施する演算手段として機能する。
【００３６】
メインＣＰＵ６０は、制御用のプログラムや制御上必要な各種データ等が格納されている図示せぬＲＯＭ（Ｒｅａｄ　Ｏｎｌｙ　Ｍｅｍｏｒｙ）と、各種の演算処理を行う作業用領域として使用する図示せぬＲＡＭ（Ｒａｎｄｏｍ　Ａｃｃｅｓｓ　Ｍｅｍｏｒｙ）とを備えている。また、メインＣＰＵ６０には不揮発性記憶手段であるＥＥＰＲＯＭ６１が接続されている。
【００３７】
カメラ１０は、メディア蓋２６の開閉状態を検出するメディア蓋スイッチ６２と、電池蓋２８の開閉状態を検出する電池蓋スイッチ６３とを有しており、これら検出スイッチ（６２、６３）からの検出信号はメインＣＰＵ６０に入力される。なお、電池蓋スイッチ６３は、電池蓋２８がスライド操作された段階で検出信号（蓋の開放を示す信号）を出力する。
【００３８】
メインＣＰＵ６０は、レリーズボタン３０その他の操作部６４から入力する信号（操作信号）や各種センサ（検出スイッチ６２、６３等）からの検出信号に基づいてカメラ１０内の各回路を制御し、例えば、レンズ駆動制御、ＣＣＤ駆動制御、画像処理制御、画像データの記録制御、ファイル管理、ストロボ発光制御、メモリカード６６の読み書き制御、電源制御、液晶モニタ３８の表示制御などを行う。
【００３９】
なお、操作部６４には、モードダイヤル３２、十字キー４４、電源スイッチ４０、モード選択レバー４２、メニュー／ＯＫボタン５２、ＢＡＣＫボタン５４など各種の操作手段が含まれる。
【００４０】
ユーザによって電源スイッチ４０がオン操作されると、メインＣＰＵ６０はこれを検知し、電源回路６８に対して起動指令の信号を与え、電源回路６８を起動させる。電源回路６８はＤＣ／ＤＣコンバータを有している。カメラ１０に装填されている電池２９又は電源入力端子２４に接続された外部電源から供給される電力は、ＤＣ／ＤＣコンバータによって所要の電圧に変換された後、電源回路６８よりカメラ１０内の各回路ブロックに供給される。こうして、カメラ１０が動作可能になる。
【００４１】
また、電源回路６８は電源入力端子２４に外部電源が接続されたか否かを検出する接続検出回路を有しており、外部電源の接続情報はメインＣＰＵ６０に通知される。電源入力端子２４に外部電源が接続されると、電池２９よりも優先して外部電源を利用するように電源入力経路が自動的に切り換えられる。
【００４２】
モード選択レバー４２によって撮影モードが選択されると、ＣＣＤ７２を含む撮像部に電源が供給され、撮影可能な状態になる。
【００４３】
撮影レンズ１２及び絞り７３を通過した光は、ＣＣＤ７２の受光面に結像される。ＣＣＤ７２の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造（ベイヤー、Ｇストライプなど）で配置されている。また、ＣＣＤ７２は、各フォトダイオードの電荷蓄積時間（シャッタースピード）を制御する電子シャッター機能を有している。なお、ＣＣＤ７２に代えてＭＯＳ型など他の方式の撮像素子を用いてもよい。
【００４４】
ＣＣＤ７２の受光面に結像された被写体像は、各フォトダイオードによって入射光量に応じた量の信号電荷に変換される。各フォトダイオードに蓄積された信号電荷は、クロック発生回路（ＣＧ）７４から与えられる駆動パルスに基づいて信号電荷に応じた電圧信号（画像信号）として順次読み出される。
【００４５】
ＣＣＤ７２から出力された信号はアナログ処理部７５に送られ、アナログ処理部７５において相関二重サンプリング（ＣＤＳ）処理、色分離、ホワイトバランス調整やガンマ処理などの所要の処理が行われる。アナログ処理部７５で生成された画像信号は、Ａ／Ｄ変換器７６でデジタル信号に変換された後、一旦バッファメモリ７７に格納される。
【００４６】
クロック発生回路７４は、測光・測距ＣＰＵ７８の指令に従ってＣＣＤ７２、アナログ処理部７５及びＡ／Ｄ変換器７６に対してタイミング信号を与えており、このタイミング信号によって各回路の同期がとられている。
【００４７】
測光・測距ＣＰＵ７８はメインＣＰＵ６０と連携して撮像系を制御する制御部である。図３では、２つのＣＰＵ（６０，７８）を搭載した構成を例示したが、本発明の実施に際しては１つのＣＰＵで実現する態様も可能である。
【００４８】
バッファメモリ７７に記憶された画像データは、バス７９を介して信号処理部８０に送られる。信号処理部８０は、同時化回路、輝度・色差信号生成回路、輪郭強調回路、拡大／縮小処理回路（電子ズーム回路）等を含む画像処理手段であり、メインＣＰＵ６０からのコマンドに従って画像信号を処理する。信号処理部８０に入力された画像データは、輝度信号（Ｙ信号）及び色差信号（Ｃｒ，Ｃｂ　信号）に変換されるとともに、ガンマ補正等の所定の処理が施された後、バッファメモリ７７に書き戻される。
【００４９】
撮像中の映像をモニタ出力する場合、バッファメモリ７７内の画像データは、バス７９を介してＹＣ→ＲＧＢ変換回路８１に提供され、ここで表示用のＲＧＢ信号に変換される。こうして生成されたＲＧＢ信号はＬＣＤドライバー８２を介して液晶モニタ３８に出力される。ＣＣＤ７２から出力される画像信号によって画像データが定期的に書き換えられ、その画像データから生成される映像信号が液晶モニタ３８に供給されることにより、撮像中の映像がリアルタイムに動画として表示される。撮影者は液晶モニタ３８に表示される動画映像（スルームービー）によって撮影画角を確認できる。
【００５０】
撮影者がズームスイッチ（図２で説明した上／下キー４４Ｕ、４４Ｄ）を操作すると、その指令信号はメインＣＰＵ６０から測光・測距ＣＰＵ７８に送られる。測光・測距ＣＰＵ７８は、ズーム指令に従ってレンズ駆動部８４を作動させ、レンズ鏡胴１７の繰り出し量を制御する。これにより、撮影レンズ１２の焦点距離（撮影倍率）が変更される。
【００５１】
レンズ駆動部８４は、ズームモータ及びＡＦモータを含む電動駆動手段を示すブロックである。撮影レンズ１２の詳細な構成は図示しないが、撮影レンズ１２は変倍用の可動レンズ（変倍レンズ）と、フォース調整用の可動レンズ（フォーカスレンズ）とを含む複数のレンズ群から構成されている。撮影レンズ１２の変倍動作はズームモータによって行われ、撮影レンズ１２の焦点調節動作（フォーカス調整動作）はＡＦモータによって行われる。
【００５２】
撮影レンズ１２のズーム位置及びフォーカス位置はレンズ位置センサ８５によって検出される。レンズ位置センサ８５はズーム位置センサとフォーカス位置センサとを含むブロックである。レンズ位置センサ８５によって取得されるズーム位置及びフォーカス位置の情報は測光・測距ＣＰＵ７８を経由してメインＣＰＵ６０に送られ、ＥＥＰＲＯＭ６１に書き込まれる。
【００５３】
また、上記の光学ズームに代えて、又はこれと併用して、電子ズーム（デジタルズーム）機能によるズーム操作も可能である。電子ズーム機能は、画像処理技術によって画像信号を電子的に処理することにより拡大画像を得る機能である。本実施形態のカメラ１０は、選択される記録画素数モードに応じて、画質劣化が生じない範囲で電子ズームによる倍率変更が可能となっている。
【００５４】
記録済みの画像を再生表示する場合においても、電子ズーム機能を活用することができる。再生時の電子ズーム操作では、ズーム倍率の変更のみならず、拡大表示させる表示位置を変更できる。電子ズーム機能によるズーム倍率や表示位置の情報などもＥＥＰＲＯＭ６１に記録される。
【００５５】
静止画の撮影モードにおいて、撮影者によってレリーズボタン３０が押下されるとレリーズ信号が発せられ、該レリーズ信号がメインＣＰＵ６０に入力される。メインＣＰＵ６０は、レリーズ信号の入力に応動してＡＥ演算及びＡＦ演算を行うとともに、測光・測距ＣＰＵ７８にコマンドを送り、記録用の画像を取り込むためのＣＣＤ露光及び読み出し制御を実施する。例えば、レリーズボタン３０の半押し（Ｓ１　＝ＯＮ）でＡＥ及びＡＦ処理を行い、レリーズボタン３０の全押し（Ｓ２　＝ＯＮ）で記録用の撮影を実施する。
【００５６】
すなわち、メインＣＰＵ６０は、ＣＣＤ７２から得られる画像信号から被写体の明るさ（被写体輝度）を検出し、撮影に適した露出値（撮影ＥＶ値）を算出する。求めた露出値と所定のプログラム線図に従い、絞り値とシャッタースピードが決定される。ＡＦ制御については、ＣＣＤ７２から得られる画像信号の高周波成分を利用して焦点評価値を算出し、評価値が最大（又は極大）となるレンズ位置を合焦位置として決定するコントラストＡＦ方式が採用されている。
【００５７】
測光・測距ＣＰＵ７８は、ＡＦ演算の結果に基づいて撮影レンズ１２を合焦位置に移動させるようにレンズ駆動部８４を制御する一方、ＡＥ演算の結果に基づいて絞り７３を適正な絞り値とするように絞り駆動部８６を制御する。また、測光・測距ＣＰＵ７８は、ＡＥ演算の結果に基づいてクロック発生回路７４を制御し、ＣＣＤ７２の電子シャッターを制御する。
【００５８】
更に、測光・測距ＣＰＵ７８は、必要に応じてストロボ制御回路８７にコマンドを送り、ストロボ制御回路８７を動作させる。ストロボ制御回路８７は、図示しないメインコンデンサの充電制御や、キセノン管８８への放電（発光）タイミングの制御等を行う。なお、ＡＦ処理後にＳ２　＝ＯＮとなる前に、レリーズボタン３０の押下が解除されると、ＡＦ処理後のフォーカス位置が維持される。
【００５９】
こうして、レリーズボタン３０の押下に応動して取り込まれた画像データは、バッファメモリ７７を介して信号処理部８０に送られ、信号処理部８０において輝度・色差信号変換（ＹＣ変換）処理その他の所定の信号処理を経た後、圧縮伸長部８９に送られる。
【００６０】
圧縮伸長部８９に入力された画像データは、所定の圧縮フォーマット（例えば、ＪＰＥＧ方式）　に従って圧縮され、カードインターフェース部９０を介してメモリカード６６に記録される。記録形式はＪＰＥＧ方式に限定されず、ＭＰＥＧその他の記録方式を採用してもよい。画像データを保存するための手段は、メモリカード６６で代表される半導体メモリに限定されず、磁気ディスク、光ディスク、光磁気ディスクなど、種々の媒体を用いることができる。また、リムーバブルメディアに代えて、又はこれと併用して、カメラ１０に内蔵された記録メディア（内部メモリ）に画像データを保存する態様も可能である。
【００６１】
モード選択レバー４２によって撮影モードが選択され、かつモードダイヤル３２によって動画モードが選択されると、音声付き動画の記録が可能となる。レリーズボタン３０の押下によって録画動作がスタートし、もう一度レリーズボタン３０を押下すると録画動作が停止する。なお、レリーズボタン３０の押下継続期間に録画動作を行い、押下解除により録画を停止するようにしてもよい。
【００６２】
動画撮影時の音声は、マイク１６によって検出され、その検出信号（音声信号）は、図示せぬＡ／Ｄ変換器によってデジタル信号に変換された後、音声処理回路９２に入力される。音声処理回路９２は入力された音声データを所定の信号形式に変換する。こうして生成された音声データは、バス７９を介して圧縮伸長部８９に送られ、画像データとともに圧縮された後、メモリカード６６に記録される。
【００６３】
モード選択レバー４２によって再生モードが選択されると、メモリカード６６に記録されている最終の画像ファイル（最後に記録されたファイル）が読み出される。最後の記録に係るファイルが静止画ファイルの場合、この読み出された画像ファイルの圧縮データは、圧縮伸長部８９を介して非圧縮のＹＣ信号に伸長され、ＹＣ→ＲＧＢ変換回路８１及びＬＣＤドライバー８２を介して液晶モニタ３８に出力される。これにより、当該ファイルの画像内容が液晶モニタ３８に表示される。
【００６４】
再生対象ファイルが動画ファイルの場合には、動画の先頭フレームが代表画像として表示され、動画再生開始の指示を受け付ける画面になる。動画の先頭フレームが表示されている状態で操作部６４から所定の操作を行い、動画再生を開始させると、動画ファイルの再生処理がスタートし、液晶モニタ３８に動画が表示されるとともに、音声データが音声処理回路９２において再生処理され、図示せぬＤ／Ａ変換器及びアンプを介してスピーカ２１から出力される。こうして、動画と同時に記録した音声も再生される。
【００６５】
静止画の一コマ再生中（動画の先頭フレーム再生中も含む。）に、十字キー４４の右キー４４Ｒ又は左キー４４Ｌを操作することによって、再生対象のファイルを切り換えること（順コマ送り／逆コマ送り）ができる。コマ送りされたコマ位置の画像ファイルがメモリカード６６から読み出され、上記と同様にして静止画像や動画が液晶モニタ３８に再生される。
【００６６】
次に、上記の如く構成されたカメラ１０の動作について説明する。
【００６７】
カメラ１０において電池２９の交換やメモリカード６６の交換を行う場合は、一度電源スイッチ４０をＯＦＦ操作し、カメラ電源をＯＦＦしてから交換作業を行うのが正常な手順である。しかしながら、本例のカメラ１０では、電源スイッチ４０のパワーＯＦＦ操作を行わずに、電源ＯＮ状態で電池蓋２８を開けて電池２９を交換したり、メディア蓋２６を開けてメモリカード６６を交換したりする手順も容認されている。つまり、カメラ１０は、電源スイッチ４０のＯＦＦ操作に伴うパワーＯＦＦシーケンスを実行しなくても、電池２９とメモリカード６６を取り出すことができるようになっている。
【００６８】
この場合、電池蓋２８やメディア蓋２６の開放を検出して自動的に電源をＯＦＦする制御が行われる。かかる制御によって電源ＯＦＦとなった後（いわゆる異常終了後）、電源スイッチ４０がＯＮ操作された場合（再起動時）には、通常のパワーＯＮシーケンスを働かせないことにして、ズーム位置、フォーカス位置その他の撮影条件をデフォルトに戻さないようになっている。
【００６９】
図４はカメラ１０の撮影シーケンスを示すフローチャートである。同図には、撮影シーケンス中に異常終了する場合のフローが示されている。
【００７０】
カメラ１０が撮影モードに設定されると、図４に示した撮影シーケンスがスタートする。メインＣＰＵ６０は操作部６４からのキー入力や各種センサ等からのスイッチ入力を受け付ける（ステップＳ１１０）。メインＣＰＵ６０はキー入力の判別を行い（ステップＳ１１２）、入力された指令に応じた処理を実施する（ステップＳ１１４ａ〜ステップＳ１１４ｎ）。例えば、レリーズ信号の入力を検出した場合には撮影処理を実施する（ステップＳ１１４ａ）。また、ズーム操作の指令を検出した場合にはズーム処理を実施する（ステップＳ１１４ｂ）。或いは、メニュー画面からのセットアップコマンドを検出した場合、又は表示ボタン５０からの指令を検出した場合などには、表示条件の設定処理を実施する（ステップＳ１１４ｎ）。
【００７１】
図５にキー入力／スイッチ入力処理の処理内容の例を示す。キー／スイッチ入力処理においては、まず、キー入力のスキャン処理を行い（ステップＳ２１０）、操作キーから指令信号の入力があるか否かを検出する。スキャン処理の結果に基づいて、撮影光学系のズーム位置、フォーカス位置、又は電子ズーム倍率等の変更が行われたか否かを判断する（ステップＳ２１２）。ズーム位置、フォーカス位置及び電子ズーム倍率のうち少なくとも１つに変更が生じた場合には、ズーム位置、フォーカス位置及び電子ズーム倍率などカメラ状態を示す情報をＥＥＰＲＯＭ６１に記録する（ステップＳ２１４）。こうして、カメラ状態の変化に対応して常にＥＥＰＲＯＭ６１の記憶内容を更新する。もちろん、変更に係る情報のみを書き換えればよい。ステップＳ２１４においてカメラ状態を示す情報の書き込み処理を実施した後は、メインルーチンに戻る。
【００７２】
他方、ステップＳ２１２においてズーム位置やフォーカス位置などのカメラ状態に変化がないと判定した場合には、情報の更新処理（ステップＳ２１４）を省略して、メインルーチンに戻る。
【００７３】
図６は、キー入力／スイッチ入力処理における処理内容の他の例を示すフローチャートである。同図に示す処理内容は、異常終了後の電源ＯＮ時に初期シーケンス動作を実施するか否かを予めユーザが選択しておく設定シーケンスである。ユーザによって所定の操作が行われることにより、図６に示す設定シーケンスの割り込み処理がスタートする。
【００７４】
この割り込み処理において、メインＣＰＵ６０は、初期シーケンス動作の実施／不実施を規定するフラグ設定の変更指令を判別する（ステップＳ３１０）。ユーザによって「初期シーケンス動作を実施する」旨の選択が行われた場合には、初期シーケンス動作フラグをセットする処理を行う（ステップＳ３１２）。このフラグ情報はＥＥＰＲＯＭ６１に記憶される。他方、ステップＳ３１０において「初期シーケンス動作を実施しない」旨の選択が行われた場合には、初期シーケンス動作フラグをクリアする処理を行う（ステップＳ３１４）。電源ＯＮ時においては、メインＣＰＵ６０によって、このフラグ情報が参照され、所定の初期シーケンス動作の実施／不実施が制御される。
【００７５】
ステップＳ３１２又はステップＳ３１４においてフラグのセット／クリア処理を実施した後は、所定のプログラムに従って次の動作シーケンスに移行する（ステップＳ３１６）。
【００７６】
上述した図５及び図６で例示したように、図４のキー入力判別（ステップＳ１１２）に基づき、キー入力に対応した処理（ステップＳ１１４ａ〜ｎ）を実施した後、又は図４のステップＳ１１２においてキー入力がないと判断した場合には、ステップＳ１１６に進む。
【００７７】
ステップＳ１１６では、電源スイッチ４０の操作によって電源の指令が入力されたか否かの判定を行う。ユーザが電源スイッチ４０をＯＦＦ操作した場合には、電源ＯＦＦ正常シーケンスを実施して（ステップＳ１１８）、通常の（正常の）パワーＯＦＦ処理を行う。すなわち、撮影レンズ１２を所定の収納位置（沈胴位置）に引き込み、レンズバリアを閉じる動作を行ってから電源をＯＦＦする。こうして、電源ＯＦＦ正常シーケンスを実施してカメラ動作を終了する（ステップＳ１２０）。
【００７８】
その一方、ステップＳ１１６において「ＮＯ判定」となった場合には、ステップＳ１２２に進む。ステップＳ１２２では、電池蓋スイッチ６３、或いはメディア蓋スイッチ６２から蓋の開放を示す検出信号（電源ＯＦＦを指令する信号）が入力されたか否かの判定を行う。電池蓋スイッチ６３又はメディア蓋スイッチ６２から蓋の開放を示す検出信号が入力されていなければ、ステップＳ１１０に戻る。
【００７９】
他方、ステップＳ１２２において、電池蓋スイッチ６３及びメディア蓋スイッチ６２のうち少なくとも一方のスイッチから蓋の開放を示す検出信号が入力された場合には、電源ＯＦＦ特異シーケンスを実施して（ステップＳ１２４）、異常終了に対応したパワーＯＦＦ処理を行い、カメラ動作を終了する（ステップＳ１２６）。
【００８０】
図７に「電源ＯＦＦ特異シーケンス」の処理内容を示す。同図に示したように、電源ＯＦＦ特異シーケンス処理がスタートすると、ズーム位置、フォーカス位置及び電子ズーム倍率などカメラ状態を示す情報をＥＥＰＲＯＭ６１に記録保持する処理を行う（ステップＳ４１０）。また、現在のズーム位置及びフォーカス位置をそのまま保持した状態で（レンズ鏡胴１７を繰り出したままの状態で）、電源ＯＦＦする（ステップＳ４１４）。
【００８１】
なお、電池蓋２８をスライド移動させると、電池蓋スイッチ６３がこれを検知するが、図１で説明したように、電池２９及び電池蓋２８の構造により、電池蓋２８をスライドしただけでは、電池２９の＋／−端子２９Ａ、２９Ｂが電池収納室内の端子に接続されているため、メインＣＰＵ６０に電源は供給されており、メインＣＰＵ６０は電源ＯＦＦ特異シーケンスを実施することができる。
【００８２】
また、メインＣＰＵ６０には、電源回路６８からの電圧がコンデンサによるバックアップを受けて供給されているため、電池蓋２８が急に開放されて電池２９からの電力供給が遮断された場合や、ＡＣパワーアダプターのプラグが急に引き抜かれた場合などにおいても、メインＣＰＵ６０は電源ＯＦＦ特異シーケンスを実施することができる。
【００８３】
図７に従って電源がＯＦＦされ、カメラ動作が終了した状態（図４のステップＳ１２６）で、ユーザは電池２９の交換作業やメモリカード６６の交換作業を行うことができる。
【００８４】
次に、電源ＯＮシーケンスの例を説明する。
【００８５】
図８は、電源ＯＮシーケンスの一例を示すフローチャートである。電源ＯＦＦ状態のカメラ１０についてユーザが電源スイッチ４０を押下すると、図８の電源ＯＮシーケンスがスタートする。メインＣＰＵ６０は、まず、ＥＥＰＲＯＭ６１の情報を参照して、前回のカメラ動作（パワーＯＦＦ処理）が「電源ＯＦＦ特異シーケンス」によって終了したか否かを判定する（ステップＳ５１０）。前回のパワーＯＦＦ処理が図４のステップＳ１１８で説明したように、正常のシーケンスに従って行われていた場合は、図８のステップＳ５１０において「ＮＯ判定」となる。この場合には、図示せぬ所定の動作シーケンスに移行し、その後、例えば、通常の初期シーケンスが実施される。すなわち、撮影モードで起動した場合には、レンズバリアを開けて、レンズ鏡胴１７を所定の繰り出し初期位置（撮影可能な初期設定位置、例えば、光学ズーム倍率１．３倍のズーム位置）まで繰り出すとともに、フォーカスレンズを所定のフォーカス初期位置（例えば、１．２ｍの被写体にピントが合う位置）に移動させる処理を行う。
【００８６】
その一方、前回のパワーＯＦＦ処理が図７で説明した「電源ＯＦＦ特異シーケンス」に従って行われていた場合には、図８のステップＳ５１０で「ＹＥＳ判定」となり、ステップＳ５１２に進む。ステップＳ５１２では、電源ＯＮ後初期シーケンス動作を実施するか否かの判定を行う。この判定は、図６で説明したフラグの設定に基づいて行われる。
【００８７】
初期シーケンス動作フラグがセットされている場合には、ステップＳ５１４に進み、電源ＯＮ後初期シーケンス動作を実施する。この「電源ＯＮ後初期シーケンス動作」においては、電子ズーム倍率を初期値（１倍）に戻し、レンズ鏡胴１７を所定の繰り出し初期位置に移動させるとともに、フォーカスレンズを所定のフォーカス初期位置に移動させる処理を行う。その後、次の動作シーケンスへ移行する（ステップＳ５１６）。こうして、撮影が可能になる。
【００８８】
その一方、ステップＳ５１２において、電源ＯＮ後初期シーケンス動作を実施する旨の判定を得た場合、すなわち、初期シーケンス動作フラグがクリアされている場合には、ステップＳ５１４で説明した初期シーケンスを省略し、次の動作シーケンスへ移行する（ステップＳ５１６）。これにより、ＥＥＰＲＯＭ６１の情報内容に従って前回の電源ＯＦＦ時のカメラ状態と同じ条件で直ちに撮影を行うことができる。
【００８９】
次に、本実施形態に係るカメラ１０の他の制御例について説明する。
【００９０】
上述した図６及び図８のフローチャートに代えて、図９及び図１０のフローチャートを用いる態様も可能である。図９に示した処理内容は、異常終了後の電源ＯＮ時に電源ＯＦＦ直前の状態への回復（再現）動作を行うか否かを予めユーザが選択しておく設定シーケンスである。ユーザによって所定の操作が行われることにより、図９に示す設定シーケンスの割り込み処理がスタートする。
【００９１】
この割り込み処理において、メインＣＰＵ６０は、回復動作の実施／不実施を規定するフラグ設定の変更指令を判別する（ステップＳ６１０）。ユーザによって「回復動作を実施する」旨の選択が行われた場合には、回復フラグをセットする処理を行う（ステップＳ６１２）。このフラグ情報はＥＥＰＲＯＭ６１に記憶される。他方、ステップＳ６１０において「回復動作を実施しない」旨の選択が行われた場合には、回復フラグをクリアする処理を行う（ステップＳ６１４）。メインＣＰＵ６０は電源ＯＮシーケンスにおいてこのフラグ情報を参照し、電源ＯＦＦ直前のカメラ状態への回復動作を実施するか否かを判断する。
【００９２】
ステップＳ６１２又はステップＳ６１４においてフラグのセット／クリア処理を実施した後は、所定のプログラムに従って次の動作シーケンスに移行する（ステップＳ６１６）。
【００９３】
図１０は、電源ＯＮシーケンスの他の例を示すフローチャートである。電源ＯＦＦ状態のカメラ１０についてユーザが電源スイッチ４０を押下すると、電源ＯＮ後初期シーケンス動作が実施される（ステップＳ７１０）。この動作は図８のステップＳ５１４で説明したものと同様である。かかる動作によって、カメラ１０は所定の初期状態になる。
【００９４】
次いで、図１０のステップＳ７１２に進み、電源ＯＮ直前状態への回復フラグを判定する。この判定は、図９で説明したフラグの設定に基づいて行われる。回復フラグがセットされている場合には、ステップＳ７１４に進み、ＥＥＰＲＯＭ６１の情報内容に従って、ズーム位置、フォーカス位置、電子ズーム倍率などの諸条件を電源ＯＦＦ直前の状態に戻す動作が行われる。
【００９５】
こうして、電源ＯＦＦ直前のカメラ状態を再現し、次の動作シーケンスへ移行する（ステップＳ７１６）。これにより、前回の電源ＯＦＦ時のカメラ状態と同じ条件で直ちに撮影を行うことができる。一旦、デフォルト状態に戻してから、電源ＯＦＦ直前のカメラ状態を再現する制御を行うことにより、電源ＯＦＦ期間中に物理的なショックが加わってレンズ位置等がずれた場合でも、記憶位置に復帰させることができる。
【００９６】
その一方、ステップＳ７１２において、回復フラグがクリアされている場合には、ステップＳ７１４で説明した回復動作シーケンスを省略し、次の動作シーケンスへ移行する（ステップＳ７１６）。これにより、ステップＳ７１０で実施した初期シーケンスで実現された初期状態で撮影を行うことができる。
【００９７】
〔変形例〕
上記実施形態では、図５で説明したように、ズーム位置やフォーカス位置などのカメラ状態に変化が生じたときに、その都度、ＥＥＰＲＯＭ６１の情報内容を書き換える（カメラ状態を常時記憶する）例を述べたが、本発明の実施に際しては、異常終了の直前にのみカメラ状態を記録する態様も可能である。
【００９８】
また、上述した実施形態では、メディア蓋２６又は電池蓋２８の開放を検出して電源ＯＦＦする例を述べたが、ＡＣパワーアダプターを使用している場合に、電源プラグが突然引き抜かれた場合など、外部電源からの電力供給が急に遮断されたような場合についても、上記と同様の制御を適用できる。
【００９９】
上記実施形態では、ズーム位置やフォーカス位置などのカメラ状態の情報を記憶保持する手段としてＥＥＰＲＯＭ６１を用いたが、本発明の実施に際しては、電源ＯＦＦした状態で情報内容を保持できる記憶手段であればよく、不揮発性メモリに代えて、バックアップ電池を備えた揮発性メモリを使用してもよい。なお、図１には示されていないが、カメラ１０にはカレンダ時計回路が設けられており、その時計機能を常時動作させるためにバックアップ電池が設けられている。このバックアップ電池をメモリの保持機能に利用してもよい。
【０１００】
また、図４乃至図１０は撮影モードにおけるパワーＯＦＦ及びパワーＯＮの処理について説明したが、再生モードにおけるパワーＯＦＦ及びパワーＯＮの処理（再生シーケンス）についても同様の制御が可能である。
【０１０１】
例えば、液晶モニタ３８の表示画素数（解像度）が３２０×２４０画素（ＱＶＧＡ）であるとすると、記録画像サイズが１２８０×９６０ピクセルの画像は、面積比で１倍〜１６倍まで拡大できる。再生中に電子ズーム機能を利用して画面の一部を拡大表示させた場合、その倍率情報と表示位置情報がＥＥＰＲＯＭ６１に記憶される。そして、異常終了後の電源ＯＮ時には、ＥＥＰＲＯＭ６１の記憶内容にしたがって電源ＯＦＦ直前の再生状態が再現される。
【０１０２】
また、メモリカード６６には撮影順に従って順次画像が記録されていくが、メモリカード６６に時系列順で記録された複数の画像のうち、隣り合った画像の記録画像サイズが同じであれば、再生時に拡大できる拡大率も同じである。したがって、再生モードにおいて、再生対象となる画像及びその前後の画像のサイズを比較し、同じ記録画像サイズの画像が連続する場合には、電子ズームの拡大率と表示位置の情報を引き継ぐことができる。その場合、再生コマを変更しても、拡大率及び表示位置が引き継がれ、同じ拡大率及び表示位置の条件で画像を再生することができる。
【０１０３】
上記実施形態では、静止画及び動画の記録再生機能を有したデジタルカメラを説明したが、本発明の適用範囲はこれに限定されず、静止画のみを記録可能なデジタルスチルカメラ、動画のみを記録可能なビデオカメラ、ＤＶＤカメラなど種々の電子カメラについて本発明を適用できる。
【０１０４】
【発明の効果】
以上説明したように本発明によれば、電池蓋の開放、メディア蓋の開放、或いは外部電源からの電力供給の遮断によってカメラ電源がＯＦＦされる場合に、電源ＯＦＦ直前の光学ズーム位置、フォーカス位置、又は電子ズーム倍率などの情報を記憶手段に記憶しておき、その後、電源が再投入されたときには、記憶手段の記憶内容に従ってカメラ状態を再現するようにしたので、再起動後すぐに電源ＯＦＦ直前と同じ条件で撮影又は再生を行うことができる。
【図面の簡単な説明】
【図１】本発明の実施形態に係る電子カメラの斜視図
【図２】図１に示したカメラの背面図
【図３】本実施形態に係るカメラの内部構成を示したブロック図
【図４】本実施形態に係るカメラの撮影シーケンスを示すフローチャート
【図５】キー入力／スイッチ入力処理における処理内容の一例を示すフローチャート
【図６】キー入力／スイッチ入力処理における処理内容の他の例を示すフローチャート
【図７】電源ＯＦＦ特異シーケンスの処理内容を示すフローチャート
【図８】電源ＯＮシーケンスの一例を示すフローチャート
【図９】キー入力／スイッチ入力処理における処理内容の更に他の例を示すフローチャート
【図１０】電源ＯＮシーケンスの他の例を示すフローチャート
【符号の説明】
１０…カメラ、１２…撮影レンズ、２４…電源入力端子、２６…メディア蓋、２７…ロック解除ツマミ、２８…電池蓋、２９…電池、３８…液晶モニタ、４０…電源スイッチ、６０…メインＣＰＵ、６１…ＥＥＰＲＯＭ、６２…メディア蓋スイッチ、６３…電池蓋スイッチ、６６…メモリカード、７８…測光・測距ＣＰＵ
【図１】
2004072222.tif 000003
【図２】
2004072222.tif 000004
【図３】
2004072222.tif 000005
【図４】
2004072222.tif 000006
【図５】
2004072222.tif 000007
【図６】
2004072222.tif 000008
【図７】
2004072222.tif 000009
【図８】
2004072222.tif 000010
【図９】
2004072222.tif 000011
【図１０】
2004072222.tif 000012